(57)【要約】【課題】本発明では、乳幼児にとって快適な装着状態を確保できることは勿論、乳幼児に横ズレなどが生じないように装着することのできる乳幼児用クッションの提供を目的とする。【解決手段】乳幼児が着座するクッション部材１２，４０における、乳幼児の股間部に対応する部位から、突き出した前側保持部１４を形成するとともに、上記前側保持部１４の後側部位において、該前側保持部１４と対向する後側保持部１５を、フラップ状に形成し、上記前側保持部１４の左右各側における、少なくとも一方の側から伸びる帯状体１６を、乳幼児の胴回りに配して上記椅子状の部材Ａに取り付けた状態で上記前側保持部１４の左右各側どうしを連結可能に形成し、上記前側保持部１４、及び、上記後側保持部１５を、乳幼児の胴部における左右各側において互いに連結可能に形成した乳幼児用クッション１１，４１。【選択図】図１
2007125215.tif 000002
【特許請求の範囲】
【請求項１】
椅子状の部材の座面上に載置して用いる乳幼児用クッションであって、
乳幼児が着座可能なクッション部材における、着座した乳幼児の股間部に対応する部位から、乳幼児の前ズレを防止可能にフラップ状に突き出した前側保持部を形成するとともに、
上記前側保持部の後側部位において、該前側保持部と対向する後側保持部を、乳幼児の臀部、又は／及び、腰部に当接可能なフラップ状に形成し、
上記前側保持部の左右各側における、少なくとも一方の側から伸びる帯状体を、乳幼児の胴回りに配して上記椅子状の部材に取り付けた状態で上記前側保持部の左右各側どうしを連結可能に形成し、
上記前側保持部、及び、上記後側保持部を、乳幼児の胴部における左右各側において互いに連結可能に形成した
乳幼児用クッション。
【請求項２】
上記後側保持部における左右各側に、左右各側へフラップ状に突き出した一対の後側耳部を形成するとともに、
上記前側保持部における左右各側に、上記一対の後側耳部のそれぞれと対向する一対の前側耳部を形成し、
上記前側保持部、及び、上記後側保持部における左右各側において、上記前側耳部と上記後側耳部とを連結状態に固定する固定手段を、上記前側耳部と上記後側耳部とに具備した
請求項１に記載の乳幼児用クッション。
【請求項３】
上記固定手段を、一対の面ファスナに設定した
請求項１、又は、請求項２に記載の乳幼児用クッション。
【請求項４】
上記前側保持部を、上記クッション部材の前後方向における略中間部位より後方側へ退避させて形成した
請求項１から請求項３のうちいずれか１項に記載の乳幼児用クッション。
【請求項５】
上記クッション部材の内部に、該クッション部材の厚みが厚くなる方向へ復元力が作用する弾性部材を具備し、
内部の空気圧を調節可能な気密性収容袋に上記弾性部材を収容して上記クッション部材の厚みを調節可能に形成した
請求項１から請求項４のうちいずれか１項に記載の乳幼児用クッション。
【発明の詳細な説明】
【技術分野】
【０００１】
この発明は、例えば、椅子の座面上に載置して、着座した乳幼児に対して取り付けることにより、乳幼児を椅子に着座した状態で留めておくことのできる乳幼児用クッションに関する。
【背景技術】
【０００２】
上記乳幼児クッションは、上述したように乳幼児を椅子に着座させておくことができるため、乳幼児が椅子から転落してしまうことや、食事の際に椅子から乳児が立ち上がるといった事態を回避することができるなど、有用性が高いため、広く一般に普及している。
【０００３】
このような乳幼児クッションとして、例えば、下記特許文献１において「乳幼児用安全ベルト」が開示されている。
【０００４】
下記特許文献１における乳幼児用安全ベルトは、座面に敷くシート（１）の前部に仕切り（２）を設け、後部には、上方ベルト通し（６）と下方ベルト通し（７）を設け、該上方ベルト通し（６）と下方ベルト通し（７）には、子供用ベルト（３）、椅子用ベルト（４）を通して形成している。
【０００５】
上記乳幼児用安全ベルトは、子供用ベルト（３）を乳幼児の胴回りに配して乳幼児の股間に相当する部位に有する上記仕切り（２）に対して通した状態で椅子に取り付けることができる。
【０００６】
上記構成を採る下記特許文献１における乳幼児用安全ベルトは、乳幼児をしっかりと座面上に着座させた状態に留めておくことができるといえそうである。
【０００７】
しかし、上記乳幼児用安全ベルトは、以下の理由により、着座した乳幼児を座面上に留めておくことができるとはいい難い。
【０００８】
なぜなら、上記乳幼児用安全ベルトを着座している乳幼児にとりつけたときであっても、乳幼児の臀部から腰部にかけての部位は、上記乳幼児用安全ベルトによって保持されておらず、乳幼児の背面側には、間隙が生じた状態となるためである。
特に、上記シート（１）、及び、上方ベルト通し（６）、或いは、下方ベルト通し（７）が、着座した乳児の臀部から腰部にかけての部位と当接しない取り付け状態となる。
【０００９】
具体的に、このような取り付け状態であれば、たとえ乳幼児の胴回りを子供用ベルト（３）により包囲した状態としても、上記椅子用ベルト（４）は、子供用ベルト（３）とは反対側の椅子の背凭れ側において包囲した状態で配されるため、子供用ベルト（３）を乳幼児の胴回りに対して完全にフィットさせることができない。
【００１０】
よって、たとえ子供用ベルト（３）を乳幼児の前方において強固に連結しようと試みても、乳幼児は、隙間からすり抜けてしまうことや、臀部の位置が定まらず、姿勢が悪くなることや、横ズレしてバランスが損なわれ、最悪の場合、椅子ごと転倒してしまうおそれも有する。
【００１１】
また、その他の課題としては、子供用ベルト（３）を前方において固定する例えば、バックルなどの固定手段は、子供用ベルト（３）により乳幼児を固定した状態において前方に視認可能であるとともに接触可能な状態で位置することになる。
【００１２】
このため、乳幼児は、意識的、或いは、無意識に関わらず、固定手段の固定を解除してしまうおそれを有し、安全面の観点から好ましくないといった課題も有する。
【００１３】
【特許文献１】特開平１１−１３７１７９号公報
【発明の開示】
【発明が解決しようとする課題】
【００１４】
そこで本発明では、乳幼児にとって快適な装着状態を確保できることは勿論、着座している乳幼児に横ズレなどが生じないように装着することのできる乳幼児用クッションの提供を目的とする。
【課題を解決するための手段】
【００１５】
本発明の乳幼児用クッションは、椅子状の部材の座面上に載置して用いる乳幼児用クッションであって、乳幼児が着座可能なクッション部材における、着座した乳幼児の股間部に対応する部位から、乳幼児の前ズレを防止可能にフラップ状に突き出した前側保持部を形成するとともに、上記前側保持部の後側部位において、該前側保持部と対向する後側保持部を、乳幼児の臀部、又は／及び、腰部に当接可能なフラップ状に形成し、上記前側保持部の左右各側における、少なくとも一方の側から伸びる帯状体を、乳幼児の胴回りに配して上記椅子状の部材に取り付けた状態で上記前側保持部の左右各側どうしを連結可能に形成し、上記前側保持部、及び、上記後側保持部を、乳幼児の胴部における左右各側において互いに連結可能に形成したことを特徴とする。
【００１６】
また、本発明の乳幼児用クッションは、上記後側保持部における左右各側に、左右各側へフラップ状に突き出した一対の後側耳部を形成するとともに、上記前側保持部における左右各側に、上記一対の後側耳部のそれぞれと対向する一対の前側耳部を形成し、上記前側保持部、及び、上記後側保持部における左右各側において、上記前側耳部と上記後側耳部とを連結状態に固定する固定手段を、上記前側耳部と上記後側耳部とに具備することができる。
【００１７】
上記固定手段を、一対の面ファスナに設定することが好ましい。  
さらに、本発明の乳幼児用クッションは、上記前側保持部を、上記クッション部材の前後方向における略中間部位より後方側へ退避させて形成することが好ましい。
【００１８】
また、本発明の乳幼児用クッションは、上記クッション部材の内部に、該クッション部材の厚みが厚くなる方向へ復元力が作用する弾性部材を具備し、内部の空気圧を調節可能な気密性収容袋に上記弾性部材を収容して上記クッション部材の厚みを調節可能に形成することが好ましい。
【発明の効果】
【００１９】
請求項１に係る発明によれば、本発明における乳幼児用クッションは、後側保持部を具備することにより、該後側保持部が乳幼児の臀部から腰部にかけてフィットした状態で乳幼児に対して取り付けることができる。このため、後側保持部は、乳幼児の前側保持部とともに乳幼児を、しっかりと保持することができる。すなわち、椅子に着席している乳幼児が横ズレしてしまうことがなく、安定性を確保することができる。
【００２０】
また、乳幼児を乳幼児用クッションに装着したとき、固定手段を、紐により隠蔽することができるため、乳幼児が直接、該固定手段を視認することや接触することを回避することができる。
【００２１】
よって、着席している乳幼児が意識的、或いは、無意識に関わらず、固定手段の固定を解除してしまうことがないため、乳幼児の保持を継続でき、結果的に乳幼児の安全性を確保することができる。
【００２２】
請求項２に係る発明によれば、乳幼児用クッションは、耳部を前側保持部、及び、後側保持部における左右各側に具備することにより、前側保持部と後側保持部とを互いに連結させたとき、これらが前後いずれか一方の側に偏った取り付け形態にならず、バランスよく連結することができる。よって、乳幼児にとっても心地のよい装着状態を得ることができるとともに、良好な見栄えを維持することができる。
【００２３】
さらに、耳部を具備することにより、前側保持部の耳部と後側保持部の耳部とを重合させる位置に応じて、乳児の胴回りの長さへ調節することが可能になる。
【００２４】
請求項３に係る発明によれば、乳幼児用クッションは、固定手段を一対の面ファスナに設定することにより、該一対の面ファスナどうしを互いに重合させるだけで容易に、且つ、強固に固定できる。さらに、一対の面ファスナどうしが重合する互いの相対位置を、ずらした状態で重合させることにより、乳幼児に対する取り付け状態も容易に調節することができる。
【００２５】
また、上記帯状体は一対の面ファスナどうしが、より強固に重合しあう方向へ押し付けることができるよう椅子状の部材に対して取り付いているため、一対の面ファスナどうしをより強固に重合させることができる。
【００２６】
請求項４に係る発明によれば、乳幼児用クッションは、上記前側保持部を、上記クッション部材の前後方向における略中間部位にまで後方側へ退避させて形成することにより、乳児が椅子の背凭れ部に凭れたとき、猫背になり難いよう臀部を引いた乳幼児にとって良好な姿勢を保った状態で装着することができる。
【００２７】
請求項５に係る発明によれば、乳幼児用クッションは、クッション部材の厚みを自在に調節することができ、例えば、食事の際においてもテーブルの高さに応じた適切な厚みに調節することができる。
【００２８】
特に、前側保持部、及び、後側保持部によって、乳幼児をしっかりと保持することにより、乳幼児の臀部を載置する位置を、例えば、クッション部材における中央部側の安定した位置に留めておくことができることである。このため、たとえ、クッション部材の厚みを厚くすることにより、クッション部材が高い弾性を有しても、乳幼児を安定した状態に維持することができる。
【発明を実施するための最良の形態】
【００２９】
この発明の一実施形態を、以下図面を用いて説明する。  
図１は、本実施形態における幼児用クッション１１の使用状態を示す。
【００３０】
すなわち、上記幼児用クッション１１は、上記図１に示したように、背凭れ部Ａａ付きの椅子Ａの座面上に載置され、さらに、該幼児用クッション１１の上に着席している幼児を保持した状態で椅子Ａに対して取り付けることができるクッションである。
【００３１】
以下、上記幼児用クッション１１の具体的な構成について説明する。  
上記幼児用クッション１１は、図２に示したように、幼児を下側から支持し、厚みを調節可能に形成したクッション部１２、及び、該クッション部１２の上部に有し、幼児を保持可能に形成した幼児保持部１３を具備している。
【００３２】
以下では、クッション部１２、及び、幼児保持部１３の形態について詳説するが、クッション部１２の形態については、後述詳説する。
【００３３】
まず、上記幼児保持部１３については、前方側から幼児を保持する前側保持部１４、及び、後方側から幼児を保持する後側保持部１５を具備して形成する。  
前側保持部１４は、図３に示したように、上記クッション部１２の上面に相当する、幼児を載上させる載置面１２ａからフラップ状に形成している。
【００３４】
ちなみに、図３は、後側保持部１５と連結していない状態の前側保持部１４を背面側から視た図である。
【００３５】
具体的に、前側保持部１４は、上記載置面１２ａにおける、着席した幼児の股間に対応する部位、すなわち、載置面１２ａを平面視したとき、略中央部に相当する部位から着席した幼児の前ズレを防止可能に突き出して形成している（上記図２参照）。
【００３６】
上記前側保持部１４は、載置面１２ａに対して起立させたとき、上部における左右各側部位にフラップ状の耳部を形成している。ここで、上述した前側保持部１４に具備する耳部を前側耳部１７に設定する。
【００３７】
さらに、前側保持部１４は、略同形に形成した上記２枚の生地を重合し、その外周縁部において縫着してステッチを形成するとともに、２層構造により一体に形成している。
【００３８】
上記前側保持部１４は、正面視すると、前側耳部１７から下端部にかけて、徐々に幅小になるよう両縁部を内側へ傾斜させて形成し、幼児の大腿部沿いに当接可能に逃げ部１４ａを形成している。さらに、上記逃げ部１４ａにおける両縁部には、ゴム紐１９を内在させ、該逃げ部１４ａを伸張可能に弛緩させて形成している。
【００３９】
また、上記前側保持部１４における、上述したように２層構造により形成した幼児に接触する側の生地、すなわち、前側保持部１４の背面側に相当する側の生地は、柔軟、且つ、吸水性に優れたパイル生地１４ｂにより形成している。
【００４０】
これに対して、上記前側保持部１４における幼児に接触しない側の生地、すなわち、前側保持部１４の前方側に相当する側の生地は、通気性を有する布地１４ｃにより形成している。
【００４１】
また、前側保持部１４の左右各側における上記前側耳部１７における各両面のうち、幼児と対向する側と反対側の面には、一対の面ファスナ２１ａ，２１ｂにおける一方の側の面ファスナ２１ａを縫着している。
【００４２】
さらに、前側保持部１４の左右各側部位における、前側耳部１７の基部側部位には、幼児と接触しない側の面に椅子連結用帯紐１６の長さ方向における一端側が縫着されている。
【００４３】
このように、前側保持部１４の左右各側から延設された椅子連結用帯紐１６は、上記椅子Ａに幼児用クッション１１を載置させたとき、椅子Ａの背凭れ部Ａａにおけるの幅方向の外側から背面側へ取り回し、背凭れ部Ａａの背面を包囲可能な長さを有している。
【００４４】
前側保持部１４の左右各側における椅子連結用帯紐１６の他方の端部側（自由端部側）においては、左右各側の椅子連結用帯紐１６どうしが互いに重合する側の面に、一対の面ファスナ２２ａ，２２ｂのそれぞれを縫着している。
【００４５】
よって、図４に示したように、背凭れ部Ａａの背面において取り回した一対の椅子連結用帯紐１６における各面ファスナ２２ａ，２２ｂどうしを重合させる相対位置によって、椅子Ａの形態、サイズに関わらず椅子Ａに対して強固に連結することができる。
【００４６】
続いて、上記後側保持部１５については、図５に示したように、幼児がクッション部１２の後方側部位において、着席した幼児の臀部、或いは、腰部に当接（包持）可能にフラップ状に形成している。すなわち、上記後側保持部１５は、起立状態において起立させた前側保持部１４に対して、互いに対向するよう配設している。
【００４７】
上記後側保持部１５も前側保持部１４と同様に２層構造により形成しているが、いずれの側の面も布により形成し、優れた通気性を確保して形成している。
【００４８】
また、上記後側保持部１５についても上記前側保持部１４における前側耳部１７に対応する部位に耳部を形成している。ここで、上記後側保持部１５に具備した上記耳部を、後側耳部１８に設定する。
【００４９】
さらにまた、上記後側耳部１８における、幼児、或いは、前側保持部１４における前側耳部１７に対向する側の面には、上記前側耳部１７に縫着した一方の面ファスナ２１ａと対をなす他方の面ファスナ２１ｂを縫着している。
【００５０】
ちなみに、上記後側耳部１８の基部側に有する折癖を介して後側耳部１８とは反対側部位には、上記他方の面ファスナ２１ｂに係合可能な他方の面ファスナ２１ｃを縫着している。
【００５１】
これにより、後側保持部１５は、幼児用クッション１１が不使用時においては、上記前側耳部１８を、折癖を介して内側に折り畳んで、面ファスナ２１ｂ，２１ｃどうしを重合させることにより、後側耳部１８を内側へ折り畳んだ状態を維持することができる。
【００５２】
また、上記後側保持部１５を正面視した形態は、前側保持部１４と略同形に形成している。すなわち、後側保持部１５についても逃げ部１５ａを形成し、後側耳部１８から下端部にかけて徐々に幅小になるよう両縁部を幅方向の内側へ傾斜させて形成している。
【００５３】
さらに、後側保持部１５を構成する布は、幼児の臀部、或いは、腰部の形態に応じて布が膨出し、ぴたりと当接させることができるよう中央部において外側へ膨出可能に袋状に形成している。
【００５４】
しかも、後側保持部１５は、上記前側保持部１４と同様に幼児の大腿部沿いに当接可能な各縁部沿いにゴム紐２５を内在させるに加えて、上端部沿いについてもゴム紐１５ｂを内在させて、これら縁部を伸張自在に弛緩させて形成している。このため、上記幼児保持部１３を幼児に対して取り付けたとき、ゴム紐１５ｂの伸縮力（弾性力）により幼児に対して圧迫感を与えることがなく、しっかりと取り付けることができる。
【００５５】
次に、上記クッション部１２の構成について説明する。  
上記クッション部１２は、その内部には、該クッション部１２の略外郭形状を構成するような略直方体に形成された弾性発泡ウレタン部材３１が内在されている。上記弾性発泡ウレタン部材３１は、図６に示したように、収容袋３２によって収容されている。上記収容袋３２は、その全体を合成樹脂シートを用いて非伸縮性、及び、内部の気密性を確保して形成している。
【００５６】
さらに、上記収容袋３２における所定部位には、空気流通用バルブ３２ａを具備している。  
なお、上記空気流通用バルブ３２ａは、収容袋３２における内外を連通する流通孔、及び、該流通孔を開口自在に閉塞する栓部材を具備して形成している。
【００５７】
さらに、収容袋３２と、弾性発泡ウレタン部材３１は、該弾性発泡ウレタン部材３１を収容袋３２に収容した状態で一体に形成しているが、クッション部１２は、さらにこれらを被覆カバー３３によって、取り出し可能に収容して構成される（上記図１、及び、図２中のクッション部１２参照）。
【００５８】
上記被覆カバー３３は、略全体を袋状に形成するとともに布地により形成しているが、上記被覆カバー３３における上記載置面１２ａは、表面生地と裏面生地との中間層に綿を充填させて柔軟性を有して形成している。上記載置面１２ａにおける表面生地は、ハニカムメッシュ構造をした生地により優れた通気性、形態安定性を有して形成している。
【００５９】
さらに、上記被覆カバー３３の外周部には、図７、図８に示したように一対のスライドファスナを２つ具備している。  
具体的に、上記被覆カバー３３の厚みを構成するまち部は、２枚のまち布を用いて２層構成により形成している。上記スライドファスナは、上記被覆カバー３３の内側、及び、外側にそれぞれ配した内側のまち布３４、及び、外側のまち布３５に具備されるとともに、内側のまち布３４、及び、外側のまち布３５のそれぞれについて幅方向における略中間部位においてにおいて形成される。  
ここで、内側のまち布３４に具備する一対のスライドファスナを一対の内側スライドファスナ３６ａ，３６ｂに設定し、外側のまち布３５に具備する一対のスライドファスナを一対の外側スライドファスナ３７ａ，３７ｂに設定する。
【００６０】
さらに、内側のまち布３４は、弾性発泡ウレタン部材３１の厚みと略同じ幅に形成している。これに対して、外側のまち布３５は、その幅を上記内側のまち布３４の幅よりも例えば、半分程度の幅で幅小に形成している。
【００６１】
まず、上記内側スライドファスナ３６ａ，３６ｂは、幼児用クッション１１を、厚み方向の略中間部における断面を平面視したとき、内側のまち布３４の外周縁部における前端側部位を除いた周縁部に形成し、この間をスライダ３６ｃにより開閉可能に形成している（上記図７参照）。
【００６２】
これに対して上記外側スライドファスナ３７ａ，３７ｂは、幼児用クッション１１を、上述した断面を平面視したとき、外周縁部沿いに形成しているが、そのスライドファスナ３７ａ，３７ｂの長さ方向における各端部については、互いに内側、及び、外側に位置するよう上記内側スライドファスナ３６ａ，３６ｂよりも長く形成している。
【００６３】
また、幼児用クッション１１の下面の後端側縁部における幅方向の両側部位には、椅子Ａに対して結束する２本の結束紐２８をそれぞれ形成している（上記図１０参照）。
【００６４】
本実施例における幼児用クッション１１は、上述したように形成し、以下、幼児用クッション１１を用いる手順について以下、説明する。
【００６５】
まず、幼児用クッション１１の椅子Ａに対する取り付けは、幼児用クッション１１の載置面１２ａが上面に位置するように幼児用クッション１１を椅子Ａの座面上に載置する。
【００６６】
さらに、上記左右各側に有する結束紐２８をその近傍に有する、例えば、椅子Ａの背凭れ部Ａａを構成する部材に対して結束する。  
これにより、幼児用クッション１１を椅子Ａの載置面１２ａに対して位置決めさせることができるため、保護者は、幼児用クッション１１の上に幼児を着席させることができる。このとき、保護者は、幼児を載置面１２ａにおける前側保持部１４と後側保持部１５との間に載置させるが、幼児をこの間に載置させ易いように、前側保持部１４、及び、後側保持部１５は、予め前側保持部１４は、前方側へ、後側保持部１５は、後方側へ互いに離間する側へ倒伏させておくとよい（図示せず）。
【００６７】
続いて、保護者は、前側保持部１４の前側耳部１７と後側保持部１５の後側耳部とを左右各側において連結する。すなわち、前側耳部１７と後側耳部１８とにおける対向面に有する面ファスナ２１ａ，２１ｂどうしを、幼児の胴回りのサイズに応じた相対位置で重合すればよい。
【００６８】
これにより、図９に示したように幼児は、前後両側から前側保持部１４、及び、後側保持部１５によって保持された状態で着座させることができる。
【００６９】
このような取り付け形態であっても、充分、幼児を着席した状態に保持することができるが、さらに、椅子連結用帯紐１６を、図１０に示したように椅子Ａの背凭れ部Ａａにおいて包囲させた状態で取り付けることにより、上半身の揺れ等に対しての保持力を向上させることができ、より安定性を確保することができる。
【００７０】
椅子連結用帯紐１６どうしの連結は、背凭れ部Ａａの背面側において一対の面ファスナ２２ａ，２２ｂどうしを重合させればよい。
【００７１】
ここで、椅子連結用帯紐１６を、上述したように椅子Ａに対して取り付けたとき、該椅子連結用帯紐１６の基部側の部位は、後側耳部に対して外側に位置することになる。このため、前側耳部１７と後側耳部１８とにおける互いに重合する面ファスナ２１ａ，２１ｂに対して、幼児が接触することを物理的に阻害することができるとともに、目立ち難くすることとができる。
【００７２】
また、本実施形態における幼児用クッション１１は、勿論、後側保持部１５については、使用せず、前側保持部１４のみを使用して幼児に対して装着する取り付け形態を採ることもできる。
【００７３】
具体的には、前側保持部１４における左右各側の椅子連結用帯紐１６を背凭れ部Ａａの背面において連結し、前側保持部１４のみを幼児の前側から取り付けた状態で装着することもできる。
【００７４】
このような取り付け形態を採る場合、後側保持部１５については、該後側保持部１５における一対の面ファスナ２１ｂ，２１ｃどうしを重合させることにより、後側耳部１８を内側へ折り畳んだ状態にしておけば、幼児にとって、後側保持部１５が邪魔になることがない。
【００７５】
以上が本実施例における幼児用クッション１１部を取り付ける際の手順、及び、各取り付け状態において奏する作用、効果であるが、以下では、クッション部１２の厚みを調節する際の手順、及び、作用について説明する。
【００７６】
まず、クッション部１２の厚みをコンパクトに調節する場合、保護者は、空気流通用バルブ３２ａにおける栓部材を流通孔から取り外し、クッション部１２を厚み方向に押し付けて内部に有する弾性発泡ウレタン部材３１を圧縮変形させるとともに、空気流通用バルブ３２ａを通じて内部の空気を排出させる。所望の厚みになるまで空気を排出すれば、再度、上記栓部材で流通孔に栓をする。
【００７７】
このとき、収容袋３２の内部においては、弾性発泡ウレタン部材３１の復元力が常時、作用することになる。ところが、収容袋３２は気密性を有し、収容袋３２の内部の気圧が減圧された状態に保つことができるため、外気との差圧により、弾性発泡ウレタン部材３１の復元力が作用するに関わらず、クッション部１２を厚みの薄いコンパクトな形態に留めておくことができる。
【００７８】
よって、本実施例における幼児用クッション部材１１は、コンパクトに収納でき、持ち運びも容易に行うことができる。
【００７９】
このとき、互いに離間した状態の一対の外側スライドファスナ３７ａ，３７ｂを互いに係合すれば、厚みが薄いクッション部１２は、コンパクトな形態における幅に対応した外側のまち布３５によるまち部を構成することができる（上記図８（ａ）参照）。
【００８０】
勿論、使用時においては、空気流通用バルブ３２ａの栓を外してやれば、外気と内部の気圧との差がなくなるため、弾性発泡ウレタン部材３１の復元力により、本実施例における幼児用クッション部材１１は、積極的に元の厚みを有した形態に復元させることができる。
【００８１】
特に、クッション部１２の厚みを復元する際においては、上述したように空気流通用バルブ３２ａの栓を外し、幼児用クッション１１部材が厚みを復元しようとする方向に付勢した状態で一対の外側スライドファスナ３７ａ，３７ｂにおけるスライダ３７ｃを周方向において摺動させることにより、一対の外側スライドファスナ３７ａ，３７ｂの係合が離間することができる。これにより、外側のまち布３５がその幅方向の中間部を隔てて上下各側に離間することにより、クッション部１２の厚み方向の外側のまち布３５による規制が解除される。結果的にクッション部１２は、外側のまち布３５よりも幅広に形成した内側のまち布３４の幅と略同じ厚みまで復元することができる（上記図８（ｂ）参照）。
【００８２】
上述した一例のようにして用いることができる本実施例における幼児用クッション１１は、以下のような様々な効果を奏することができる。
【００８３】
本実施例における幼児用クッション１１は、後側保持部１５を具備することにより、該後側保持部１５が幼児の臀部から腰部にかけてフィットした状態で取り付けることができる。このため、前側保持部１４、及び、後側保持部１５を乳幼児に取り付けることにより、椅子Ａに着席している乳幼児が横ズレしてしまうことがなく、安定性を確保した状態で保持することができる。
【００８４】
本実施例における幼児用クッション１１は、前側耳部１７と後側耳部１８とを重合させる位置を乳幼児の胴回りのサイズに応じて調節することができる。よって、様々な体格の乳幼児に対してもしっかり、且つ、圧迫しすぎることなく取り付けることができる。
【００８５】
また、上記椅子連結用帯紐１６は、前側耳部１７、及び、後側耳部１８における一対の面ファスナ２１ａ，２１ｂどうしが、より強固に重合しあう方向へ押し付けることができるよう椅子Ａに対して取り付いているため、より面ファスナ２１ａ，２１ｂを強固に重合させることができる。
【００８６】
本実施例における幼児用クッション１１は、上記前側保持部１４を、上記クッション部１２材の載置面１２ａ上において前後方向における略中間部位にまで後方側へ退避させて形成することにより、幼児が椅子Ａの背凭れ部Ａａに凭れたとき、猫背になり難いよう臀部を引いた姿勢で幼児を着席させることができる。
【００８７】
また、本実施例における幼児用クッション１１は、上述したようにクッション部１２の厚みを自在に調節することができ、例えば、食事の際においてもテーブルの高さに応じた適切な厚みに調節することができる。
【００８８】
さらにまた、本実施例における幼児用クッション１１は、クッション部１２の厚みを厚く調節して、該クッション部１２自体が柔軟性を増すことになっても、前側保持部１４、及び、後側保持部１５によって、幼児をしっかりと保持することができ、さらに、幼児の臀部を載置する位置を、例えば、クッション部１２材における中央部側の安定した位置に留めておくことができるため、幼児用クッション１１に載上した幼児を安定した状態に保つことができる。
【００８９】
すなわち、従来の幼児用クッション１１のように幼児の臀部、或いは、腰部をしっかりと保持しない装着形態を採る場合、幼児の臀部を載置する位置が例えば、クッション部１２における隅部に相当してしまうこともあり得る。この場合、幼児の自重がクッション部１２の隅部に作用することで、局所的にクッション部１２が弾性変形してしまい、幼児の姿勢が傾いた姿勢になることや幼児が椅子Ａごと横転してしまうこといった事態が生じることが想定されるが、本発明における幼児用クッション１１においては、このような事態が生じることがなく安定した状態で幼児を着席させることができる。
【００９０】
勿論、本発明に係る乳幼児用クッションは、本実施形態における幼児用クッション１１の形態に限定せず、様々な形態により形成することができる。  
例えば、上記空気流通用バルブ３２ａをクッション部１２のまち部（３４，３５）における所定部位に形成してもよい。
【００９１】
さらに、この場合、上記収容袋３２に収容された弾性発泡ウレタン部材３１を被覆カバー３３により被覆した状態のまま、上記空気流通用バルブ３２ａにおける流通孔の開閉操作が可能とすべく、まち部（３４，３５）における上記空気流通用バルブ３２ａを形成した部位のみを開閉可能に形成してもよい。
【００９２】
その他の実施形態として、本発明に係る乳幼児用クッションは、図１１に示すような幼児用クッション４１のように形成してもよい。
【００９３】
すなわち、クッション部は、上述したクッション部１２のように弾性発泡ウレタン部材３１を内蔵した形態のように厚み調節可能に形成するに限らず、上記幼児用クッション４１におけるクッション部４０のように、単に、柔軟な綿などの部材が充填された通常のクッション部材としての機能を有して形成してもよい。
【００９４】
また、上述の実施形態と、この発明の構成との対応において、この実施形態の椅子状の部材は、この発明の幼児用椅子Ａに対応し、以下同様に、
椅子連結用帯紐１６は、帯状体に対応し、
幼児用クッション１１は、乳幼児用クッションに対応し、
クッション部１２は、クッション部材に対応し、
収容袋３２は、気密性収容袋に対応し、
弾性発泡ウレタン部材３１は、弾性部材に対応するも、
この発明は、上述の実施形態の構成のみに限定されるものではなく、上述したように多くの実施の形態を得ることができる。
【図面の簡単な説明】
【００９５】
【図１】本実施例における幼児用クッション部材の使用状態を示す外観図。
【図２】図１において幼児を省略して示した外観図。
【図３】前側保持部を斜め後方から視た説明図。
【図４】本実施例における幼児用クッション部材の椅子に対する取り付け状態を斜め後方側から見た外観図。
【図５】後側保持部を斜め前方から視た説明図。
【図６】本実施例における幼児用クッション部材の構成部材を示す外観図。
【図７】本実施例における幼児用クッション部材の厚み方向における断面を模式的に示した説明図。
【図８】クッション部が膨張した状態の図７におけるＡ―Ａ端面を模式的図（ａ），  クッション部が収縮した状態の図７におけるＡ―Ａ端面図（ｂ）。
【図９】本実施例における幼児用クッション部材の使用状態を示す作用説明図。
【図１０】本実施例における幼児用クッション部材の平面図。
【図１１】他の実施例における幼児用クッション部材の外観図。
【符号の説明】
【００９６】
１１，４１…幼児用クッション
１２，４０…クッション部
１４…前側保持部
１５…後側保持部
１６…椅子連結用帯紐
１７…前側耳部
１８…後側耳部
２１ａ，２１ｂ…一対の面ファスナ
【図１】
2007125215.tif 000003
【図２】
2007125215.tif 000004
【図３】
2007125215.tif 000005
【図４】
2007125215.tif 000006
【図５】
2007125215.tif 000007
【図６】
2007125215.tif 000008
【図７】
2007125215.tif 000009
【図８】
2007125215.tif 000010
【図９】
2007125215.tif 000011
【図１０】
2007125215.tif 000012
【図１１】
2007125215.tif 000013